(57)【特許請求の範囲】
【請求項１】
自動販売機本体に収容された商品搬出装置の前面側を覆う横方向に回動自在の内扉と、該内扉の表面側を覆い裏面に該商品搬出装置から搬送された商品を収容する商品取り出しボックスを配置した横方向に回動自在の外扉とを有し、該外扉の開操作に続いて該内扉を開操作するとき、該内扉の前面の一部が該商品取り出しボックスの一側板に当たる自動販売機において、
前記商品取り出しボックスの一側板の少なくとも一部を前記内扉の開操作に伴って該商品取り出しボックスの内側に向かって屈曲する屈曲部にて形成した
ことを特徴とする自動販売機。
【請求項２】
前記屈曲部はフラッパと、該フラッパを前記商品取り出しボックスに軸支する軸部と、該軸部に巻回され該フラッパを復帰させるバネ手段とからなる
ことを特徴とする請求項１記載の自動販売機。
【請求項３】
前記屈曲部に開操作される前記内扉の前面に当たる案内ローラを設けた
ことを特徴とする請求項１又は請求項２記載の自動販売機。
【発明の詳細な説明】
【０００１】
【発明の属する技術分野】
本発明は、自動販売機本体の前面開口が外扉及び内扉の両者で開閉される自動販売機に関するものである。
【０００２】
【従来の技術】
従来、この種の自動販売機として図６に示すものが知られている。
【０００３】
この自動販売機は、自動販売機本体１内に商品搬出装置２を複数配置する一方、自動販売機本体１の前面開口３に商品搬出装置２の前面を覆う断熱性の内扉４とこの内扉４の表面を覆う外扉５を配置した構造となっている。また、この内扉４の下部にはシュータ６を通じて搬出される商品の搬出口７が形成され、他方、外扉５の裏面には各搬出口７を通った商品を収容する商品取り出しボックス８が設置されている。
【０００４】
この商品取り出しボックス８は、横長直方体形状に形成されたもので、その前面には取り出し口扉８１を有する一方、その裏面側には商品を搬入する搬入口８２を形成し、その底板８３、前板８４、両側板８５，８６及び後板８７により商品を収容する収容空間を形成している。
【０００５】
このような自動販売機において、商品搬出装置２に商品補充するときは、図７に示すように、まず外扉５を横方向に開操作し、続いて横方向に内扉４を開操作する。その後、自動販売機本体１内から商品搬出装置２を引き出し、この商品搬出装置２内に商品を補充し、再度、自動販売機本体１内に商品搬出装置２を戻す。これにより、商品補充作業が完了する。
【０００６】
【発明が解決しようとする課題】
ところで、この内扉４の開操作（回転操作）中に、図７に示すように、この内扉４の前面の一部が商品取り出しボックス８の一側板８５の角に当たる。このため、内扉４の回転角度を大きく取るためには、言い換えれば、図７の白抜き矢印に示すように内扉４の回転軸側の商品搬出装置２を取り出し得る回転角度を確保するためには、その分外扉５の回転角度を大きく取らなければならない。
【０００７】
しかしながら、外扉５の回転角度を大きく取るためには、その分自動販売機の回りにこの外扉５の回転を許容するスペースが必要になり、従って、図７の１点鎖線に示すように、自動販売機の横に家屋の壁９等が迫って回転スペースが十分に取れない場所には設置できなかった。
【０００８】
このような問題点を解決するため、内扉４を中折り構造にしたもの、或いは、内扉４の回転軸を左右にずらす構造等が提案されているが、何れも大型の内扉を改良しなけばならず、構造の複雑化及びコストの大幅な上昇を招くという問題点を有していた。
【０００９】
本発明の目的は前記従来の課題に鑑み、簡単な構造で、外扉の回転角度を大きく取ることなく内扉を所望の回転角度に開操作できる自動販売機を提供することにある。
【００１０】
【課題を解決するための手段】
本発明は前記課題を解決するため、請求項１の発明は、自動販売機本体に収容された商品搬出装置の前面側を覆う横方向に回動自在の内扉と、この内扉の表面側を覆い裏面に該商品搬出装置から搬送された商品を収容する商品取り出しボックスを配置した横方向に回動自在の外扉とを有し、外扉の開操作に続いて内扉を開操作するとき、内扉の前面の一部が商品取り出しボックスの一側板に当たる自動販売機において、商品取り出しボックスの一側板の少なくとも一部を内扉の開操作に伴って商品取り出しボックスの内側に向かって屈曲する屈曲部にて形成している。
【００１１】
この発明によれば、外扉を開操作し、続いて内扉を開操作するとき内扉の一部が商品取り出しボックスの一側板に当たる。このとき、内扉の開操作を更に継続するときは、商品取り出しボックスの一側板の屈曲部が商品収容ボックスの内側に向かって屈曲し、内扉が商品取り出しボックスの内側に入り込む。この内扉の入り込んだ分、外扉の回転角度が小さくて済む。
【００１２】
請求項２の発明は前記請求項１の自動販売機において、屈曲部はフラッパと、このフラッパを商品取り出しボックスに軸支する軸部と、この軸部に巻回されフラッパを復帰させるバネ手段とからなり、その構造も極めて簡単なものとなっている。
【００１３】
請求項３の発明は前記請求項１又は請求項２の自動販売機において、屈曲部に開操作される内扉の前面に当たる案内ローラを設けているので、屈曲部の屈曲動作が円滑に行われる。
【００１４】
【発明の実施の形態】
図１乃至図５は本発明に係る自動販売機の一実施形態を示すもので、図１は自動販売機の外観斜視図、図２は商品取り出しボックスの一側板の側面図、図３は図２のＡーＡ線矢視方向の断面図、図４は図２のＢーＢ線矢視方向の断面図、図５は各扉の開操作を示す断面図である。なお、従来例と同一構成部分は同一符号をもって表す。
【００１５】
即ち、１は自動販売機本体、２は商品搬出装置、３は自動販売機本体１の前面開口、４は内扉、５は外扉、６はシュータ、７は搬出口であり、構成上、従来例と変わるところはない。本発明に係る自動販売機は商品取り出しボックス８の従来の一側板８５を図２乃至図４に示す一側板８８で構成したものである。なお、その他の商品取り出しボックス８の構成、即ち、取り出し口扉８１、底板８３、前板８４、他側板８６及び後板８７は従来例と同様の構成となっている。以下、本実施形態に係る商品取り出しボックス８の一側板８８の構造を図２乃至図４を参照して説明する。
【００１６】
この商品取り出しボックス８の一側板８８は、底板８３、前板８４及び後板８７に一体に固着された略Ｌ字状の固定部８８１と、この固定部８８１に軸支した屈曲部８８２とから構成され、更に、この屈曲部８８２はフラッパ８８３と、このフラッパ８８３を固定部８８１に連結する軸棒８８４と、この軸棒８８４に巻回されたねじりコイルバネ８８５とから構成されている。
【００１７】
ここで、この軸棒８８４は固定部８８１の上下に延設された取付片８８１ａ，８８１ｂに貫通するとともに、図４に示すように、フラッパ８８３の上下のカーリング部８８３ａ，８８３ｂに貫通し、フラッパ８８３を固定部８８１に回動自在に軸支している。
【００１８】
また、軸棒８８４に巻回されたねじりコイルバネ８８５は、その一方の端を固定部８８１の縁を立ち上げて形成した取付片８８１ｃに固定する一方、他方の端をフラッパ８８３の縁を同じく立ち上げて形成した取付片８８３ｃに固定している。これにより、図３の１点鎖線矢印方向にフラッパ８８３が回転したときでも、この回転力を解除するときはねじりコイルバネ８８５の付勢力により２点鎖線位置から実線位置に戻るようになっている。
【００１９】
更に、フラッパ８８３はその下部先端に案内ローラ８８６を有している。この案内ローラ８８６はその軸ピン８８６ａによりフラッパ８８３の取付片８８３ｄに取り付けられ、フラッパ８８３に回動自在となっている。
【００２０】
なお、内扉４はその閉鎖状態では、図２の２点鎖線に示すようにフラッパ８８３の近傍に位置しており、内扉４の搬出口７を通じて搬出された商品をこの商品取り出しボックス８に収容できるようになっている。
【００２１】
次に、商品搬出装置２への商品補充工程を説明しながら、本実施形態に係る商品取り出しボックス８の作用を説明する。即ち、商品搬出装置２に商品を補充するときは、図５に示すように、まず外扉５を開操作し、続いて内扉４を開操作する。この内扉４の開操作時に、この内扉４の一部が案内ローラ８８６に当たり、図３の１点鎖線矢印に示すようにこの案内ローラ８８６を商品取り出しボックス８の内側に向かって押し出す。これにより、屈曲部８８２のフラッパ８８３が、図５に示すように、ねじりコイルバネ８８５の付勢力に抗して商品取り出しボックス８の内側に向かって回転し、内扉４が商品取り出しボックス８の内側に入り込んだ状態となる。従って、この内扉４が商品取り出しボックス８に入り込んだ分、外扉５の回転角度が小さくて済む。
【００２２】
また、開操作される内扉４の前面には案内ローラ８８６が当たるため、屈曲部８８２の屈曲動作が円滑に行われる。
【００２３】
このように、内扉４を所望の位置まで回転した後、自動販売機本体１内から商品搬出装置２を引き出し、この商品搬出装置２内に商品を補充すればよい。
【００２４】
なお、この実施形態では商品取り出しボックス８の一側板８８の一部を屈曲するよう構成しているが、この一側板８８全体を屈曲するよう構成するときは、外扉５の回動スペースが更に狭くて済むことは言うまでもない。また、この実施形態では屈曲部８８２の構造を回動自在のフラッパ構造としているが、この屈曲部８８２として弾性部材である例えばゴム板構造を採用するときも同様の効果を得ることができる。更に、前記実施形態では自動販売機本体１内に引き出し自在の商品搬出装置２を設置した例を説明したが、自動販売機本体１内に固定されている商品搬出装置、例えばサーペンタインラックが設置されている場合にあっても、商品補充時に同様の問題を有するから、サーペンタインラック式の自動販売機にも同様に適用できる。
【００２５】
【発明の効果】
以上説明したように、請求項１の発明によれば、外扉を開操作し、続いて内扉を開操作するとき内扉の一部が商品取り出しボックスの一側板に当たが、内扉の開操作を更に継続するときは、商品取り出しボックスの一側板の屈曲部が商品収容ボックスの内側に向かって屈曲し、内扉が商品取り出しボックスの内側に入り込むので、この内扉の入り込んだ分、外扉の回転角度が小さくて済み、外扉の回転スペースが狭い場所でも設置できる。
【００２６】
請求項２の発明によれば、既存の商品取り出しボックスのうち、その一側板を既知のフラッパ構造に改良することにより構成され、改良コストも僅かなもので済む。
【００２７】
請求項３の発明によれば、屈曲部に開操作される内扉の前面に当たる案内ローラを設けているので、屈曲部の屈曲動作が円滑に行われる。
【図面の簡単な説明】
【図１】本発明に係る自動販売機の斜視図
【図２】商品取り出しボックスの一側板の側面図
【図３】図２のＡーＡ線矢視方向の断面図
【図４】図２のＢーＢ線矢視方向の断面図
【図５】各扉の開操作を示す断面図
【図６】従来の自動販売機の斜視図
【図７】従来の各扉の開操作を示す断面図
【符号の説明】
１…自動販売機本体、２…商品搬出装置、３…前面開口、４…内扉、５…外扉、８…商品取り出しボックス、８８…一側板、８８２…屈曲部、８８３…フラッパ、８８４…軸棒、８８５…ねじりコイルバネ、８８６…案内ローラ。
【図１】
0003703197.tif 000002
【図２】
0003703197.tif 000003
【図３】
0003703197.tif 000004
【図４】
0003703197.tif 000005
【図５】
0003703197.tif 000006
【図６】
0003703197.tif 000007
【図７】
0003703197.tif 000008